(57)【要約】【課題】予め定められた条件に合致する情報を転送するルーターを備えてなる通信網要素を少なくとも一つ含むネットワーク同士を接続できるゲートウェイ装置、エッジルーター及びプログラムを提供する。【解決手段】少なくとも一つの通信網要素をそれぞれ含む複数のネットワークであって、通信網要素が、予め定められた条件に合致する情報を転送するルーターを備えているネットワーク同士を接続するゲートウェイ装置であって、一方のネットワークに含まれる通信網要素と、他方のネットワークに含まれる通信網要素との間に転送関係が設定され、前記転送関係の設定された通信網要素の一方内のルーターで送受される情報を、通信網要素の他方内のルーターへ転送する。【選択図】図１
2010157796.tif 000002
【特許請求の範囲】
【請求項１】
通信網要素を少なくとも一つ含むネットワーク同士を接続するゲートウェイ装置であって、前記通信網要素のそれぞれは、通信網要素ごとに予め定められた条件に合致する情報を転送するルーターを備えており、
一方のネットワークに含まれる通信網要素と、他方のネットワークに含まれる通信網要素との間に転送関係が設定され、前記転送関係の設定された通信網要素の一方内のルーターで送受される情報を、通信網要素の他方内のルーターへ転送するゲートウェイ装置。
【請求項２】
通信網要素のそれぞれが、通信網要素ごとに予め定められた条件に合致する内容を含んだ情報を転送するルーターを備えており、当該通信網要素を少なくとも一つ含むネットワーク同士を接続するゲートウェイ装置であって、
少なくとも一つの転送要素を有し、
前記転送要素のそれぞれが、
転送要素ごとに予め定められた条件を記憶する手段と、
要求に基づいて前記記憶している条件を送出する手段と、
前記転送要素のいずれかを介して受け入れた情報を、当該情報を受け入れた転送要素に関連づけられた転送先として予め定められている、一方のネットワークに含まれる通信網要素内のルーターへ転送する手段と、
を有することを特徴とするゲートウェイ装置。
【請求項３】
請求項２に記載のゲートウェイ装置に接続されるエッジルーターであって、
前記ゲートウェイ装置の転送要素に対し、転送要素に記憶されている条件を要求する手段と、
前記要求に応答して送出された条件を受信し、当該条件を記憶する手段と、
前記記憶された条件に合致する情報を受け入れると、当該条件の送出元であるゲートウェイ装置の転送要素へ送出する手段と、
を有することを特徴とするエッジルーター。
【請求項４】
通信網要素のそれぞれが、通信網要素ごとに予め定められた条件に合致する内容を含んだ情報を転送するルーターを備えており、当該通信網要素を少なくとも一つ含むネットワーク同士を接続するゲートウェイ装置であって、
一方のネットワークに含まれる通信網要素から情報を受け入れる手段と、
他方のネットワークに含まれる各通信網要素内のルーターが送受する情報に係る条件を取得し、当該取得した条件のうち、前記受け入れた情報が満足する条件を検索する手段と、
前記検索により見いだされた条件に合致する情報を送受する、他方のネットワークの通信網要素内のルーターへ、前記受け入れた情報を転送する手段と、
を有することを特徴とするゲートウェイ装置。
【請求項５】
請求項１、２、４のいずれか一項に記載のゲートウェイ装置であって、
いずれかのネットワークの通信網要素から受け入れた情報が破棄の条件を指定するものであるかを判別する手段と、
受け入れた情報が破棄の条件を指定するものである場合に、破棄の条件を当該情報から抽出し、当該条件を記憶する手段と、
当該情報以降に受け入れる情報のうち、当該条件に合致する情報について転送せずに破棄する手段と、
を有することを特徴とするゲートウェイ装置。
【請求項６】
通信網要素のそれぞれが、通信網要素ごとに予め定められた条件に合致する内容を含んだ情報を転送するルーターを備えており、当該通信網要素を少なくとも一つ含むネットワーク同士を接続するゲートウェイ装置を、
一方のネットワークに含まれる通信網要素と、他方のネットワークに含まれる通信網要素との間に転送関係が設定され、前記転送関係の設定された通信網要素の一方内のルーターで送受される情報を、通信網要素の他方内のルーターへ転送するゲートウェイ装置として機能させることを特徴とするプログラム。
【発明の詳細な説明】
【技術分野】
【０００１】
本発明は、複数のネットワークの間で、各ネットワーク内に構築される通信網要素間の情報を転送するゲートウェイ装置、エッジルーター及びプログラムに関する。
【背景技術】
【０００２】
今日一般に利用されているＴＣＰ／ＩＰネットワーク上に、これとは別にネットワークを構築する技術（いわゆるオーバーレイネットワーク技術）が知られている。
【０００３】
オーバーレイネットワークの一例は、図１３に示すように、複数のエッジルーター１０及びコアルーター１５と、各エッジルーター１０にそれぞれ接続されるユーザ側端末２０（一般的なパーソナルコンピュータでよい）とを含んで構成される。エッジルーター１０及びコアルーター１５は、図１４に例示するように、少なくとも通信処理部１１と記憶部１２とを含んで構成される。また、この記憶部１２には送受する情報の内容が満足するべき条件（以下、この内容に関する条件を「内容条件」と呼ぶ）が少なくとも一つ記録され、オーバーレイネットワークを構成するすべてのエッジルーター及びコアルーターが当該内容条件を共有している。この内容条件は、例えば情報としてXMLデータを送受信するオーバーレイネットワークにおいては、XPath（XML
Path Language）と呼ばれる標準化された記述方式に基づいた内容条件等を用いることにより、特定のXMLデータに合致させることができる。
【０００４】
通信処理部１１は、他のエッジルーター１０又はコアルーター１５から情報が到来すると、記憶部１２に格納されている内容条件の情報を読み出して、到来した情報が、読み出した内容条件に合致するか否かを判断する。すなわち、到来した情報に含まれる情報要素が、内容条件に合致すれば転送処理を行ない、合致しなければ当該情報を記憶部１２へ格納したり、あるいは、破棄する。
【０００５】
また、エッジルーター１０の通信処理部１１は、到来した情報が内容条件に合致した場合、当該情報を自身に接続されているユーザ側端末２０に送出する。このとき、予め定めた一定の処理（例えば情報の一部を置き換え、削除、暗号化、など）により、情報の内容を変換してもよい。ここで、一定の処理とは、具体的にはXSLT（XML Stylesheet Language Transform）等の標準化された方法により実現される。
【０００６】
このように、情報の内容に基づき、情報を転送するエッジルーター１０及びコアルーター１５を含んで構成されるネットワークは従って、概念的には共通の内容条件に合致する情報を送受するサブネットワーク（通信網要素）を形成することもできる。すなわち、ネットワーク内にある通信網要素同士では、情報を互いに転送し合うことはない。例えば、エッジルーター１０及びコアルーター１５により共有されている条件を通信網要素ごとに異ならせることにより、または、エッジルーター１０がユーザ側端末２０を通信網要素単位で管理することにより実現される。
【０００７】
そしてこのようなネットワークのシステムは、次のように動作する。すなわち一方側のユーザＡは、ユーザ側端末２０ａより、自身が接続されているエッジルーター１０ａに対して予め必要とする情報の内容条件αを記憶させておく。このエッジルーター１０ａは同じ通信網要素に属する他のすべてのコアルーター１５及びエッジルーター１０と内容条件αを共有する。この共有手段は、例えば内容条件を共有するためのルーティングプロトコルをエッジルーター１０及びコアルーター１５が有することにより実現される。一方、他のユーザＢがこの内容条件αに合致する情報を別のエッジルーター１０ｂに対して送信すると、このエッジルーター１０ｂは、自身の記憶している内容条件αに基づいて、通信網要素内の他のエッジルーター１０又はコアルーター１５へ当該情報を転送する。ユーザ側端末２０ａを接続しているエッジルーター１０ａが当該情報を受け取ると、ユーザ側端末２０ａへ転送される。
【０００８】
このようにユーザ側端末２０同士の情報送受は、エッジルーター１０及びコアルーター１５が持つ内容条件に基づいて行なわれ、かかる送受はいずれかの通信網要素において行なわれる。この意味で、各通信網要素内は、ブロードキャストドメインを構成していると考えてもよい。
【０００９】
これと類似のシステムの例が、特許文献１等に開示されている。
【特許文献１】特開２００６−２０３９０４号公報
【発明の開示】
【発明が解決しようとする課題】
【００１０】
しかしながら、上記従来のネットワークでは、次のような問題がある。
【００１１】
すなわちそれぞれが通信網要素を含んだ複数のネットワークがある場合に、各ネットワーク内の通信網要素同士に対応関係があった（同じ内容条件が設定されている）としても、それぞれの通信網要素を識別する情報が互いに異なっていることが普通であるので、ネットワーク同士を接続するときに、同じ識別情報を有する通信網同士を接続しても、情報の流通を図ることが基本的にできない。
【００１２】
本発明は上記実情に鑑みて為されたもので、予め定められた内容条件に合致する情報を転送するルーターを備えてなる通信網要素が少なくとも一つ含まれているネットワーク同士を、通信網要素を識別する情報に依存することなく接続できるゲートウェイ装置、エッジルーター及びプログラムを提供することを、その目的の一つとする。
【課題を解決するための手段】
【００１３】
上記従来例の問題点を解決するための本発明は、少なくとも一つの通信網要素を含み、前記通信網要素が、予め定められた条件に合致する情報を転送するルーターを備えているネットワークにおいて、前記ネットワーク同士を接続するゲートウェイ装置であって、一方のネットワークに含まれる通信網要素と、他方のネットワークに含まれる通信網要素との間に転送関係が設定され、前記転送関係の設定された通信網要素の一方内のルーターで送受される情報を、通信網要素の他方内のルーターへ転送することとしたものである。
【００１４】
また本発明のある態様は、少なくとも一つの通信網要素を含み、前記通信網要素が、予め定められた条件に合致する情報を転送するルーターを備えているネットワークにおいて、前記ネットワーク同士を接続するゲートウェイ装置であって、少なくとも一つの転送要素を有し、前記転送要素のそれぞれが、転送要素ごとに予め定められた条件を記憶する手段と、要求に基づいて前記記憶している条件を送出する手段と、前記転送要素のいずれかを介して受け入れた情報を、当該情報を受け入れた転送要素に関連づけられた転送先として予め定められている、一方のネットワークに含まれる通信網要素内のルーターへ転送する手段と、を有することとしたものである。
【００１５】
また本発明の別の態様は、このゲートウェイ装置に接続されるエッジルーターであって、前記ゲートウェイ装置の転送要素に対し、転送要素に記憶されている条件を要求する手段と、前記要求に応答して送出された条件を受信し、当該条件を記憶する手段と、前記記憶された条件に合致する情報を受け入れると、当該条件の送出元であるゲートウェイ装置の転送要素へ送出する手段と、を有する。
【００１６】
さらに本発明の別の態様は、少なくとも一つの通信網要素を含み、前記通信網要素が、予め定められた条件に合致する情報を転送するルーターを備えているネットワークにおいて、前記ネットワーク同士を接続するゲートウェイ装置であって、一方のネットワークに含まれる通信網要素から情報を受け入れる手段と、他方のネットワークに含まれる各通信網要素内のルーターが送受する情報に係る条件を取得し、当該取得した条件のうち、前記受け入れた情報が満足する条件を検索する手段と、前記検索により見いだされた条件に合致する情報を送受する、他方のネットワークの通信網要素内のルーターへ、前記受け入れた情報を転送する手段と、を有することとしたものである。
【００１７】
また、これらのゲートウェイ装置において、いずれかのネットワークの通信網要素から受け入れた情報が破棄の条件を指示する場合に、当該情報を含め、以降に受け入れる情報の中で当該条件に合致する情報を転送せずに破棄することとしてもよい。
【００１８】
さらに、本発明の一態様は、プログラムであって、少なくとも一つの通信網要素を含み、前記通信網要素が、予め定められた条件に合致する情報を転送するルーターを備えているネットワークにおいて、前記ネットワーク同士を接続するコンピュータを、一方のネットワークに含まれる通信網要素と、他方のネットワークに含まれる通信網要素との間に転送関係が設定され、前記転送関係の設定された通信網要素の一方内のルーターで送受される情報を、通信網要素の他方内のルーターへ転送するゲートウェイ装置として機能させることとしたものである。
【発明の効果】
【００１９】
本発明によると、予め定められた条件に合致する情報を転送するルーターを備えてなる通信網要素を少なくとも一つ含むネットワーク同士を接続できる。
【発明を実施するための最良の形態】
【００２０】
本発明の実施の形態について図面を参照しながら説明する。本実施の形態に係るゲートウェイ装置３０は、図１に例示するように、従来利用されているオーバーレイネットワーク１間に配置される。ここでのオーバーレイネットワーク１は、予め定められた条件（例えば内容条件であるが、本実施の形態では、後に述べるように内容条件には限らないので、ここでは一般に「条件」と呼ぶ）に合致する情報を転送する複数のルーター（図１には図示しないが、それぞれの通信網要素２には、エッジルーター１０及びコアルーター１５が含まれる）を備えてなる通信網要素２を含むものであるとする。
【００２１】
本実施の形態に係るゲートウェイ装置３０は、例えば、図２に例示するように、制御部３１と、記憶部３２と、通信部３３とを含んで構成される。
【００２２】
ここで制御部３１は、マイクロコンピュータなどのプログラム制御デバイスである。この制御部３１は、記憶部３２に格納されたプログラムに従って動作し、一方のネットワークに含まれる通信網要素と、他方のネットワークに含まれる通信網要素との間に設定された転送関係に基づき、転送関係の設定された一方のネットワーク側の通信網要素内のエッジルーター１０が送信する情報を、他方のネットワークの通信網要素内のエッジルーター１０へ転送する処理を行う。この制御部３１の具体的な動作の内容については、後に述べる。
【００２３】
記憶部３２は、メモリデバイスなどである。この記憶部３２は、制御部３１によって実行されるプログラムを保持している。このプログラムは、ＤＶＤ−ＲＯＭなどのコンピュータ可読な記録媒体に格納されて提供され、この記憶部３２に複写されたものであってもよい。
【００２４】
また、この記憶部３２には、制御部３１の処理で用いられる各種の設定情報が保持されている。この設定情報の内容については、後に述べる。さらにこの記憶部３２は、制御部３１のワークメモリとしても動作する。
【００２５】
通信部３３は、少なくとも一つのネットワークインタフェースを備える。この通信部３３は、複数のオーバーレイネットワーク１内のルーターとの間で情報を送受する。また、この通信部３３は、受信した情報を制御部３１に出力し、また制御部３１から入力された指示に従い、指示された宛先であるエッジルーター１０に対して情報を送信する。
【００２６】
本実施の形態のゲートウェイ装置３０の制御部３１は、機能的には、図３に例示するように、複数の受信部４１ａ，ｂ，…と、通信制御部４２と、複数の送信部４３ａ，ｂ，…とを含んで構成される。ここで受信部４１の各々は、情報の転送元となるオーバーレイネットワーク１ａに含まれる、いずれかの通信網要素２内のエッジルーター１０ａに接続され、当該接続されたエッジルーター１０ａが送信する情報を受信して、通信制御部４２に出力している。
【００２７】
また、送信部４３の各々は、情報の転送先となるオーバーレイネットワーク１ｂに含まれる、いずれかの通信網要素２内のエッジルーター１０ｂに接続されており、通信制御部４２から入力される指示に従い、指示された情報を、当該接続されたエッジルーター１０ｂへ送信する。
【００２８】
本実施の形態のある側面（第１の例）では、通信制御部４２は、一方のオーバーレイネットワーク１ａに含まれる通信網要素２ａと、他方のオーバーレイネットワーク１ｂに含まれる通信網要素２ｄとの間に設定された転送関係に基づき、転送関係の設定された通信網要素２ａのエッジルーター１０ａから受信される情報を、他の通信網要素２ｂ内のエッジルーター１０ｂへ送信する転送処理を行う。
【００２９】
ここで転送関係の設定は、図４に例示するように、受信部４１を特定する情報に対して、少なくとも一つの送信部４３を特定する情報を関連づけたものである。管理者は、受信部４１ごとに、受信部４１に対して情報を送信するエッジルーター１０が属している通信網要素（転送元であるオーバーレイネットワーク１ａ内の通信網要素）２が送信する情報の内容を参照し、当該情報が満足する条件に合致する情報を受け入れる、転送先であるオーバーレイネットワーク１ｂ内の通信網要素２へ情報を送出する送信部４３を転送先として見いだす。そして、受信部４１ごとに、当該受信部４１が受信する情報について見いだされた転送先の送信部４３を特定する情報を関連づけるものである。
【００３０】
通信制御部４２は複数の受信部４１のうち、いずれか（受信部４１ａとする）から、当該受信部４１ａが受信した情報の入力を受け入れる。通信制御部４２は、記憶部３２に格納された転送関係の設定を参照し、受信部４１ａを特定する情報に関連づけられている送信部４３を特定する情報を取り出す。そして通信制御部４２は、取り出した情報により特定される送信部４３ｘ，ｙ，…に対して、受信部４１ａが受信した情報を出力して、それぞれに対応する通信網要素２のエッジルーター１０へ、当該情報を送信させる。
【００３１】
この例によると、ゲートウェイ装置３０は、互いに異なるオーバーレイネットワーク１ａ，１ｂに含まれる通信網要素２ａ，２ｂ同士を、設定された転送関係に従って接続することになる。図５は、この例によるネットワーク全体を概念的に示した図である。図５では、それぞれ３つの通信網要素２を備えた、２つのオーバーレイネットワークが本実施の形態のゲートウェイ装置３０により相互に接続される。ここでゲートウェイ装置３０は、それぞれのオーバーレイネットワーク１内の通信網要素２同士を接続することとなるので、例えば図５における一方のオーバーレイネットワーク１ａ内の通信網要素２ａのエッジルーター１０ａからは、ゲートウェイ装置３０により接続された、他方のオーバーレイネットワーク１ｂ内の通信網要素２ｄのエッジルーター１０ｄが次の情報の送信先（Nexthop）として存在しているのと同じ状態となっている。
【００３２】
なお、この例において、ここで記憶部３２に格納された転送関係の設定に、情報の入力元である受信部４１に関連づけられた転送先の情報（送信部４３を特定する情報）が存在しない場合は、通信制御部４２は、受け入れた情報を破棄又は記憶部３２にて保存することとしてもよい。
【００３３】
また、本実施の形態のゲートウェイ装置３０の別の側面（第２の例）によると、記憶部３２が、受信部４１ごとに、当該受信部４１が受け入れる情報に係る条件を記憶している。この条件は、受信部４１を特定する情報（受信部４１を送信先として指定する情報）に関連づけられ、条件のそれぞれは図１０で例示したような情報の形式を定義したもの等が用いられる。ゲートウェイ装置３０の制御部３１は、転送元であるオーバーレイネットワーク１側のエッジルーター１０から、条件を要求する指示を受け入れると、記憶部３２が保持している、受信部４１を特定する情報と、条件とを関連づけた条件設定情報を送出する。
【００３４】
この第２の例に係るゲートウェイ装置３０に接続されるオーバーレイネットワーク１側のエッジルーター１０は、基本的には従来のエッジルーター１０と同様のものであるが、加えて、次に述べる動作を行う。すなわち、このエッジルーター１０の通信処理部１１は、ゲートウェイ装置３０を検出すると（ＤＮＳ等の方法により検出できる）、当該検出したゲートウェイ装置３０に対して、記憶している条件を要求する。そして要求に応答して送出された条件設定情報を、記憶部１２に蓄積する。
【００３５】
そして通信処理部１１は、ネットワークを介して情報を受け入れると、当該受け入れた情報が、記憶部１２に記憶している条件のいずれかに合致するか否かを調べる。ここで合致する条件がなければ、通信処理部１１は、当該情報を破棄又は記憶部１２にて保存する。ここで記憶部１２へ格納するのは、例えば定期的に当該格納された情報を管理者等が監査することにより内容条件の妥当性を検証したり、情報漏洩等のセキュリティインシデントが発生した場合に当該格納された情報を調査することにより原因究明を行なう、といった用途を想定したものである。
また、受け入れた情報が、ゲートウェイ装置３０のいずれかの受信部４１を特定する情報に関連づけられた条件に合致するならば、当該条件に関連づけられた受信部４１に対して、受け入れた情報を送出する。
【００３６】
この第２の例では、通信制御部４２は、いずれかの受信部４１（受信部４１ａとする）から、当該受信部４１ａが受信した情報を受け入れると、記憶部３２に格納された転送関係の設定を参照し、受信部４１ａに関連づけられている送信部４３ｘ，ｙ…を特定する情報を取り出す。そして制御部３１は、当該特定した送信部４３ｘ，ｙ，…に対して、受信部４１ａが受信した情報を出力して、それぞれに対応する通信網要素２のエッジルーター１０へ送信させる。
【００３７】
この第２の例では、転送関係の設定は、概念的には、各受信部４１が受信する情報に係る条件と、送信部４３とを関連づけるものとなっている。つまり、この第２の例のゲートウェイ装置３０を含むネットワーク全体は、概念的には図６に示すようなものとなっている。図６では、それぞれ３つの通信網要素２を備えた、２つのオーバーレイネットワークが本実施の形態のゲートウェイ装置３０により相互に接続される。ここでゲートウェイ装置３０は、情報の受信部４１（転送要素）を複数備え、それぞれの転送要素について、受け入れる情報が満足するべき形式上の条件（以下、この条件を「形式条件」と呼ぶ）が設定される。また複数の送信部４３が、転送先となる一方側のオーバーレイネットワーク１ｂ内の通信網要素２ｄ，２ｅ，２ｆの少なくとも一つにそれぞれ関連づけられている。
【００３８】
図６に示すように、この第２の例では、各転送要素に設定された形式条件Ｃ１，Ｃ２，Ｃ３が公開されているため、転送元であるオーバーレイネットワーク１ａ側では、当該公開された条件を参照して、オーバーレイネットワーク１ａ内の各通信網要素２内の各エッジルーター１０が、どの転送要素にどのような情報を送出可能かを判断できることとなる。さらにこの第２の例によれば、転送要素である受信部４１ａ、４１ｂ、４１ｃのそれぞれに形式条件Ｃ１，Ｃ２，Ｃ３が設定されているとすると、オーバーレイネットワーク１ａ内の通信網要素２ａ内において、複数の形式条件Ｃ１，Ｃ２…を満足する情報が送受されていたとしても、当該通信網要素２ａのエッジルーター１０は、対応する形式条件Ｃ１を満足する情報を、その形式条件Ｃ１に対応する受信部４１ａへ送信することとなる。
【００３９】
このように、この第２の例では、第１の例において図５に示したように受信部４１が転送網要素ごとに用意されるのではなく、各転送網要素にて送受される情報の形式（例えば、図１０に示すような特定の情報の形式）に着目し、同一の形式条件に合致し異なる転送網要素を転送元とする情報を１つの受信部４１で集約して受け入れることとなる。これは、転送元であるオーバーレイネットワーク１ａ側で同一の形式条件に合致する情報が、転送先のオーバーレイネットワーク１ｂ上では、複数の異なる転送網要素２でそれぞれ送受されることなどが一般にあり得るためである。これにより、各オーバーレイネットワーク１の転送網要素２同士が直接接続されるのではなく、転送網要素という制約から解放されて、送受される情報の形式（情報構造）に基づいた接続形態が実現される。
【００４０】
この第２の例による本実施の形態のゲートウェイ装置３０は、従って、図７に例示するように動作する。ここでは、簡単のため各オーバーレイネットワーク１では利用者との間で通信を行うエッジルーター１０とゲートウェイ装置３０との間で通信を行うエッジルーター１０とが同じものであるとして説明するが、通常は複数のエッジルーター１０（利用者と接続されるもの及びゲートウェイ装置３０と接続されるもの）と複数のコアルーター１５とを含んで構成され、利用者との間で通信を行うエッジルーター１０とゲートウェイ装置３０との間で通信を行うエッジルーター１０とは異なるものであるのが一般的である。オーバーレイネットワーク１ａ側のエッジルーター１０ａは、ゲートウェイ装置３０を見いだすと（Ｓ１）、受入可能な情報の満足するべき形式条件を要求する（Ｓ２）。ここで、処理Ｓ１における発見手段としては、URL（Uniform Resource Locator）や、IPアドレスとポート番号の組などが用いられる。ゲートウェイ装置３０は、当該要求に応答して、受入可能な情報が満足するべき形式条件と、各形式条件に合致する情報の送信先を特定する情報（転送要素としての受信部４１を特定する情報）とを関連づけて送出する（Ｓ３）。
【００４１】
エッジルーター１０ａは、送出された形式条件や、送信先を特定する情報を受け入れて記憶する（Ｓ４）。一方、転送先となるオーバーレイネットワーク１ｂ側では、オーバーレイネットワーク１ｂに含まれる通信網要素２に備えられたエッジルーター１０が、それぞれゲートウェイ装置３０の送信部４３が送信する情報を受け入れることができるように、予めゲートウェイ装置３０に対し、処理Ｓ３にて転送元オーバーレイネットワーク１ａ側に提示される形式条件の登録や、ゲートウェイ装置３０とエッジルーター１ｂ間の接続状態を確立するための接続アカウントの登録及び接続確立などが行われているものとする。また、このオーバーレイネットワーク同士を接続するための手順とは別に、情報を最終的に受信する受信者Ｑが、受け取りを希望する条件が登録されている。この受信者Ｑによる「条件」と、処理Ｓ２等における「条件」とは一般的には異なるものである。すなわち、前者はXPathのような情報の内容としての特定の文字列の有無や数値範囲などを示す内容条件であるのが一般的であるのに対し、後者は既に述べたように図１０に示すようなスキーマとして、情報の構造や当該構造に含まれるべき情報要素の順序を表す部分、及び各情報要素の型などを規定する部分などにより構成される、情報の形式を示す形式条件である。ただし、受信者Ｑが受け取りを希望する条件として形式条件を設定可能としてもよいし、ゲートウェイ装置の転送要素が転送する情報の条件を、内容条件としても構わない。
【００４２】
やがて、オーバーレイネットワーク１ａ側のエッジルーター１０に接続された情報の送信者Ｐが情報を作成して、オーバーレイネットワーク１ａ側に送信すると（Ｓ５）、オーバーレイネットワーク１ａに含まれる通信網要素２のうち、当該送信者Ｐが作成した情報を送受するルーター（エッジルーター１０ａであるとする）が、この送信者Ｐの作成した情報を受け入れる（Ｓ６）。エッジルーター１０ａは、当該受け入れた情報が、自らのメモリに記憶している形式条件のいずれかに合致するか否かを調べる（Ｓ７）。ここで受け入れた情報が、ゲートウェイ装置３０のいずれかの受信部４１を特定する情報に関連づけられた形式条件に合致すると、当該形式条件に関連づけられた受信部４１に対して、受け入れた情報を送出する（Ｓ８）。
【００４３】
ゲートウェイ装置３０の受信部４１のうち、上記情報が合致する形式条件に係る受信部４１は、エッジルーター１０ａが送出した情報を受信する。そして通信制御部４２は、転送関係の設定において情報を受信した受信部４１に関連づけられている送信部４３へ、受信した情報を出力する（Ｓ９）。この情報の入力を受けた送信部４３は、オーバーレイネットワーク１ｂ内の対応するエッジルーター１０へ情報を送出し（Ｓ１０）、当該情報を受けたオーバーレイネットワーク１ｂ側のエッジルーター１０は、当該エッジルーター１０が属している通信網要素２内の各ルーターへ当該情報を送信する。ここで情報を受信したエッジルーター１０は、受信者Ｑから受け入れている条件（一般的には内容条件）を記憶しており、当該受信した情報がかかる条件を満たしていれば、受信者Ｑに対して送信者Ｐの作成した情報を送出することとなる。
【００４４】
さらに、本実施の形態のゲートウェイ装置３０のまた別の側面（第３の例）では、制御部３１は、機能的に、図８に例示するように、単一の受信部４１と、通信制御部４２と、複数の送信部４３ａ，ｂ，…とを含んで構成される。ここで受信部４１は、情報の転送元となるオーバーレイネットワーク１ａに含まれる、各通信網要素２内のエッジルーター１０から送信された情報を受け入れて、通信制御部４２に出力する。
【００４５】
また、送信部４３の各々は、情報の転送先となるオーバーレイネットワーク１ｂに含まれる、いずれかの通信網要素２内のエッジルーター１０に接続されており、通信制御部４２から入力される指示に従い、指示された情報を、当該接続されたエッジルーター１０へ送信する。
【００４６】
この第３の例では、記憶部３２は、送信部４３ごとに送信部４３が受け入れ可能な情報が満足するべき形式条件を記憶している。この形式条件は、対応する送信部４３を特定する情報に関連づけられ、形式条件のそれぞれは図１０で例示したようなものである。
【００４７】
通信制御部４２は、受信部４１が受信した情報が満足する形式条件を、記憶部３２に格納されている形式条件のうちから検索する。そして検索により見いだされた形式条件があれば、当該見いだした形式条件に関連づけられた送信部４３を特定する情報を参照し、当該参照した情報で特定される送信部４３に対して、受信部４１が受信した上記情報を出力する。また、検索により、受信部４１にて受信した情報が満足する形式条件が見いだせない場合は、当該情報を破棄又は記憶部３２に保存する。
【００４８】
この第３の例では、概念的には、図９に示すように、例えばそれぞれ３つの通信網要素２を備えた、２つのオーバーレイネットワーク１が本実施の形態のゲートウェイ装置３０により相互に接続される。また、複数の送信部４３が、転送先となる一方側のオーバーレイネットワーク１ｂ内の通信網要素２ｄ，２ｅ，２ｆの少なくとも一つにそれぞれ関連づけられている。ここでゲートウェイ装置３０は、情報の受信部４１を一つだけ備え、転送元のオーバーレイネットワーク１ａに属するエッジルーター１０は、この受信部４１に対して情報を送出する。ゲートウェイ装置３０は、送信部４３ごとに設定された形式条件を参照し、転送元のオーバーレイネットワーク１ａ側から送信された情報が満足する形式条件を検索する。検索により形式条件が見いだされると、当該見いだした形式条件に対応する送信部４３に対して、情報が出力され、当該送信部４３は、関連づけられている通信網要素２ｄ，２ｅ，２ｆの少なくとも一つに対して、当該情報を送出する。また、検索により、受信部４１にて受信した情報が満足する形式条件が見いだせない場合は、当該情報を破棄または記憶部３２に保存する。
【００４９】
この第３の例による本実施の形態のゲートウェイ装置３０は、従って、図１１に例示するように動作する。図７と同様に、簡単のため各通信網要素において、利用者との間で通信するエッジルーター１０と、ゲートウェイ装置３０との間で通信するエッジルーター１０とを同じものとしているが、これに限られないのは、既に述べた通りである。オーバーレイネットワーク１ａ側の各エッジルーター１０は、ゲートウェイ装置３０を見いだすと（Ｓ１１）、当該ゲートウェイ装置３０を情報の転送先として登録する（Ｓ１２）。なお、Ｓ１１における発見手段については図７における処理Ｓ１と同様である。一方、ゲートウェイ装置３０には、転送先となるオーバーレイネットワーク１ｂ側の各通信網要素２へ転送する情報が満足するべき形式条件がそれぞれ設定される。また、転送先となるオーバーレイネットワーク１ｂ側では、オーバーレイネットワーク１ｂに含まれる通信網要素２に備えられたエッジルーター１０が、それぞれゲートウェイ装置３０の送信部４３が送信する情報を受け入れることができるように、予めゲートウェイ装置３０に対して、転送元オーバーレイネットワーク１ａ側に提示される形式条件の登録や、ゲートウェイ装置とエッジルーター１ｂとの間の接続状態を確立するための接続アカウントの登録及び接続確立などが行われているものとする。また、このオーバーレイネットワーク１同士を接続するための手順とは別に、情報を最終的に受信する受信者Ｑが、受け取りを希望する条件が登録されている。なお、各条件の関係については第２の例と同様であるので繰り返しての説明を省略する。
【００５０】
やがて、オーバーレイネットワーク１ａ側のエッジルーター１０に接続された情報の送信者Ｐが情報を作成して、オーバーレイネットワーク１ａ側に送信すると（Ｓ１３）、オーバーレイネットワーク１ａに含まれる通信網要素２のうち、当該送信者Ｐが作成した情報を送受するルーター（エッジルーター１０ａであるとする）が、この送信者Ｐの作成した情報を受け入れる（Ｓ１４）。エッジルーター１０ａは、当該受け入れた情報をゲートウェイ装置３０に転送してもよいか否かを判断する（Ｓ１５）。この判断は、転送先となるゲートウェイ装置３０が見出されたか否かにより行う等とすればよい。すなわち、エッジルーター１０ａでは情報の内容に関しての転送可否判断は行なわない点が第２の例と相違する点である。
【００５１】
エッジルーター１０ａがゲートウェイ装置３０を処理Ｓ１１において発見していれば、エッジルーター１０ａは、受け入れた情報をゲートウェイ装置３０へ転送する（Ｓ１６）。なお、発見できなかったときは、当該エッジルーター１０ａは、ゲートウェイ装置３０に対して当該情報を送信しない。
【００５２】
ゲートウェイ装置３０は、エッジルーター１０ａから転送された情報が満足する形式条件を、記憶部３２に格納されている形式条件のうちから検索する（Ｓ１７）。そして検索により見いだされた形式条件があれば、当該見いだした形式条件に合致する情報を送受する、転送先のオーバーレイネットワーク１ｂの通信網要素２に属するエッジルーター１０に対して、上記情報を送出する（Ｓ１８）。また、検索により、転送された情報が満足する形式条件が見いだせない場合は、当該情報を破棄又は記憶部３２にて保存する。
【００５３】
当該情報を受けたオーバーレイネットワーク１ｂ側のエッジルーター１０は、当該エッジルーター１０が属している通信網要素２内の各ルーターへ当該情報を送信する。ここで情報を受信したエッジルーター１０は、受信者Ｑから受け入れている条件を有しているため、受信者Ｑに対して送信者Ｐの作成した情報を送出することとなる。
【００５４】
［切断処理］
また、本実施の形態のゲートウェイ装置３０は、各オーバーレイネットワーク１との間で情報を送受するために、セッション（相互に認証を行った状態）を維持することとしてもよい。この場合、制御部３１は、予め定めた時間だけ情報の送受がないときや、予め定めた時刻となったとき、または予め定めたデータ量の情報が送受された場合、制御部３１の処理負荷が予め定めた負荷しきい値を越えた場合など、予め定めた切断条件を満足することとなったときに、セッションを終了して、通信を切断することとしてもよい。
【００５５】
［特定のメッセージが受信されたら切断］
また、通信の切断は、送受される情報の内容に基づいて行われてもよい。具体的には、いずれかの受信部４１にて予め定めた内容条件を満足する情報が受信されたときに、当該受信部４１のセッションを終了させることとしてもよい。または、いずれかのオーバーレイネットワーク１側から受信された情報が、予め定めた内容条件を満足する場合に、当該オーバーレイネットワーク１との間のセッションを終了させてもよい。ここで内容条件は、例えば悪意のあるコード（ウィルスなど）が含まれている、等の条件とすればよい。
【００５６】
このようにすると、ウィルスが含まれる情報を送信したネットワークとのセッションを終了させ、当該ウィルスが含まれる情報を送信したネットワークを少なくとも一時的に、他のネットワークから切り離すことができる。
【００５７】
［フィルタリング機能］
さらに本実施の形態のゲートウェイ装置３０は、転送の対象となる情報が、予め定められたフィルタリング条件に合致するときに、当該情報を転送しないよう制御することとしてもよい。つまり、この場合は通信制御部４２は、受信部４１から入力された情報が予め定められたフィルタリング条件に合致するか否かを調べて、合致すると判断すると、当該情報を破棄する。なお、通信制御部４２は、指示された期間に限り、この処理を行うようにしてもよい。
【００５８】
ここでフィルタリング条件は、情報のサイズ、情報の形式（例えば情報がXMLデータの場合、図１０に示すような構造に従ったXMLデータであったり、XMLの要素の数や深さ等）、情報の内容、情報が満足する条件、情報の送信者や、転送元ないし転送先のオーバーレイネットワーク１を識別する情報などに基づくものであってもよい。
【００５９】
また、指示された期間は例えば、予め定めた開始時刻から終了時刻までとすることとしてもよい。また、一定のデータ量の情報が送受されたときを期間の始期または終期とすることとしてもよい。さらに、制御部３１の処理負荷が予め定めた負荷しきい値を越えている間は、この処理を行わないようにしてもよい。
【００６０】
さらに、この期間の指示は、例えば送受される情報の内容により行われてもよい。例えば、受信した情報の内容が予め定めた始期となるべき条件を満足するものである場合に期間の始期とし、受信した情報の内容が予め定めた終期となるべき条件を満足するものである場合に期間の終期としてもよい。あるいは、情報が利用者ＰやＱにより送受されるものの他に、管理者等によりゲートウェイ装置３０の動作を指示する情報が混在している場合もあり得る。すなわち、本実施の形態のゲートウェイ装置３０は情報の転送に関する判断に先立って、自身に対する指示か否かを判断してもよい。かかる判断は、例えば図１０に示すような情報の形式に基づくものであってもよい。ここで、例えばゲートウェイ装置３０に対する指示の例としては、送受される情報そのものにフィルタリングの始期、終期、及びフィルタリング条件を含んだ情報等がある。ゲートウェイ装置３０は、送受される情報にかかる指示が含まれていると判断した場合、当該情報を転送の対象ではなくゲートウェイ装置３０自身の動作を決定するための処理の対象とする。すなわち、当該処理の対象となった情報から動作の指示を抽出し制御部３１に読み込み又は記憶部３２に保存する。そして例えば、当該指示が上述のようにフィルタリングの始期、終期、及びフィルタリング条件を含む場合、当該情報をもとにゲートウェイ装置３０が当該フィルタリング条件でのフィルタリングの処理を開始または停止する。これによると、ゲートウェイ装置３０に予めフィルタリング情報を設定することなく、事後的に送信する情報により、フィルタリング処理の開始、終了、またはフィルタリング条件の設定、変更等、フィルタリング処理動作の制御を行うことができる。
【００６１】
［優先制御］
なお、ここではフィルタリング処理を行う例を示したが、これに限られない。本実施の形態のゲートウェイ装置３０では、転送元のオーバーレイネットワーク１から受信した情報を、基本的には受信の順にキューに格納して順次転送の処理を行うが、例えば、受信した情報の内容が予め定めた条件を満足するものである場合に、当該情報を、キューに格納された他の情報に優先して処理を行うこととしてもよい。また、前述の通り送受される情報そのものに優先制御処理に関する指示が記載されており、予め条件を定めることなく優先制御処理を実行させることとしてもよい。
【００６２】
［変換機能］
さらに、本実施の形態のゲートウェイ装置３０は、転送の対象となる情報に対し、その少なくとも一部を別の情報に置き換えたり、情報の順序を変更したり、他の情報を挿入するなどの処理を行ってもよい（変換処理）。一例として、通信制御部４２は、受信部４１から入力された情報が予め定められた条件に合致するか否かを調べて、合致すると判断すると、当該情報の少なくとも一部を別の情報に置き換える等の処理を行う。また、通信制御部４２は、指示された期間に限り、この変換処理を行うようにしてもよい。
【００６３】
ここで指示された期間は例えば、予め定めた開始時刻から終了時刻までとすることとしてもよい。また、一定のデータ量の情報が送受されたときを期間の始期または終期とすることとしてもよい。さらに、制御部３１の処理負荷が予め定めた負荷しきい値を越えている間は、この変換処理を行わないようにしてもよい。
【００６４】
さらに、この期間の指示は、例えば送受される情報の内容により行われてもよい。例えば、受信した情報の内容が予め定めた始期となるべき条件を満足するものである場合に期間の始期とし、受信した情報の内容が予め定めた終期となるべき条件を満足するものである場合に期間の終期としてもよい。あるいは、送受される情報そのものに変換処理の始期、終期、及び変換条件が含まれていると判断した場合、当該情報をもとにゲートウェイ装置３０が変換処理を開始し、または停止してもよい。これによると、ゲートウェイ装置３０に予め変換条件を設定することなく、事後的に変換処理を行なわせることができる。つまり、外部から送信される情報により、変換処理の開始、停止、または変換処理の内容の設定、変更等を行うことができる。
【００６５】
変換処理は具体的に、予め定められたテンプレート（ＸＳＬＴ等）に基づく静的なものであってもよい。また、ゲートウェイ装置３０は、外部のＷｅｂサービスなどを利用して変換処理を遂行してもよい。また、例えば外部のＷｅｂサービスから取得される情報を、送受される情報に含める処理を行ってもよい。この場合、送受される情報の内容や形式に基づいて、どのＷｅｂサービスからどのような情報を取得するかを判断してもよい。具体的には、「今日の天気」を表す文字列が含まれる場合に、天気情報を提供するＷｅｂサービスから天気の情報を取得し、この文字列の前後に挿入し、あるいはこの文字列に置き換えて挿入してもよい。さらに、情報の取得元は、Ｗｅｂサービスに限られず、他の送受される情報を、挿入するなどしてもよい。例えば、「今日の天気」を表す文字列が含まれる情報が送受の対象となった場合に、当該情報を記憶部２２に一旦蓄積しておく。そして、例えば別の通信網要素にて天気の情報が送受されている場合、この通信網要素から天気情報が送受の対象として送信されると、先に蓄積していた情報に、この天気の情報を挿入して転送する。
【００６６】
また、転送される情報がパスワードを設定可能な情報である場合（例えば、マイクロソフト社のパワーポイント（登録商標）データである場合など）は、変換処理により、パスワードを設定することとしてもよい。このパスワードは、例えば、転送元のオーバーレイネットワーク１ごとに予め定められたものとしてもよい。さらに、新たな情報を付加する変換処理を行ってもよい。一例として、パワーポイント（登録商標）データである場合、「機密ファイルです」などのようなスライドの情報を追加するなどの変換処理が考えられる。
【００６７】
［ネットワーク全体の構成例］  
ここまでの説明において、本実施の形態のゲートウェイ装置３０は、２つのオーバーレイネットワーク１間で情報の転送を行うこととしていたが、これに限られない。例えば、本実施の形態のゲートウェイ装置３０は、図１２（ａ）に例示するように、３つ以上のオーバーレイネットワーク１ａ，ｂ，ｃ…に接続されてもよい。この例では、制御部３１が実現する、受信部４１、通信制御部４２、及び送信部４３を含むゲートウェイ装置要素を、例えば、
（１）オーバーレイネットワーク１ａを転送元とし、オーバーレイネットワーク１ｂを転送先とするゲートウェイ装置要素、
（２）オーバーレイネットワーク１ａを転送元とし、オーバーレイネットワーク１ｃを転送先とするゲートウェイ装置要素、
（３）オーバーレイネットワーク１ｂを転送元とし、オーバーレイネットワーク１ａを転送先とするゲートウェイ装置要素…
といったように、複数設ければよい。
【００６８】
また、２つのオーバーレイネットワーク１間で情報の転送を行うゲートウェイ装置３０を、一対のオーバーレイネットワーク１ごとに設置してもよい（図１２（ｂ））。
【００６９】
［ループセーフ機能］
本実施の形態のゲートウェイ装置３０に接続されるオーバーレイネットワーク１は、また、他のオーバーレイネットワーク１へ転送した情報が戻ってきたときに、当該情報を検出して破棄する等の処理（ループセーフ処理）を行ってもよい。
【００７０】
このために、オーバーレイネットワーク１内のエッジルーター１０は、ゲートウェイ装置３０へ情報を送信する際に、当該情報に、自己の属するオーバーレイネットワーク１を特定する情報を転送経路情報として追記して含めてもよい。そして、オーバーレイネットワーク１内の各ルーター（エッジルーター１０を含む）は、自己の属するオーバーレイネットワーク１を特定する情報が転送経路情報に含まれた情報を受信すると、当該情報を破棄する処理を行う。なお、ここでは情報を破棄することとしたが、破棄するのではなく、次のようにしてもよい。すなわち、各オーバーレイネットワーク１に、情報の入力を受け入れるが、情報を出力しない通信網要素（スタブ論理網）を設定し、情報の破棄を行う代わりに、このスタブ論理網に属するルーターに対して対象となった情報を送出するようにしてもよい。さらにこのスタブ論理網内に、受け入れた情報に含まれる転送経路情報を元に、転送の経路を表す情報を生成して、管理者に提示する情報処理装置を設けてもよい。管理者は、この提示された情報を参照して、ゲートウェイ装置３０の設定などを変更し、他のオーバーレイネットワーク１へ転送した情報が、転送元のオーバーレイネットワーク１へ戻らないよう調整する。
【００７１】
また別の例では、転送の対象となる情報に転送回数カウンタを設定しておき、オーバーレイネットワーク１内のエッジルーター１０は、ゲートウェイ装置３０へ情報を送信する際に、当該情報に含まれる転送回数カウンタを「１」ずつインクリメントするようにしてもよい。この場合、オーバーレイネットワーク１内の各ルーター（エッジルーター１０を含む）は、受信した情報に含まれる転送回数カウンタが、予め定められた回数しきい値を越えているときに、当該情報を破棄する。
【００７２】
また、ループの検出方法は、このように、転送される情報に付加的な情報を含める方法に限られない。例えば、ゲートウェイ装置３０により接続される複数のオーバーレイネットワーク１の一つを、ルートネットワークとして、ルートネットワーク以外のオーバーレイネットワーク１に含まれるエッジルーター１０のうち、ルートネットワークから送信される情報をゲートウェイ装置３０を介して受信するエッジルーター１０を、ルートポートとする。
【００７３】
また、ルートネットワークにおいて、ゲートウェイ装置３０へ情報を送出するエッジルーター１０を、指定ポートとする。そして、ルートネットワーク以外の各オーバーレイネットワーク１に含まれる各エッジルーター１０のうち、ゲートウェイ装置３０を介して情報を送出するエッジルーター１０を、指定ポート候補とする。
【００７４】
互いにゲートウェイ装置３０を介して接続される、一対のオーバーレイネットワーク１ａ，１ｂ（ルートネットワークではないものとする）のそれぞれに含まれるエッジルーター１０ａ，１０ｂは、予め定められた優先順位決定条件に基づいて、いずれか一方のエッジルーター１０を優位であると判定する。そして優位であると判定されたエッジルーター１０の指定ポート候補を指定ポートとし、優位であると判定されなかったエッジルーター１０は、ブロッキングポートとなる。
【００７５】
以降、指定ポートは、それに接続されたゲートウェイ装置３０に対して情報を送信するが、ブロッキングポートは、それに接続されたゲートウェイ装置３０に対して情報を送信しないよう制御される。また、ルートネットワーク以外のオーバーレイネットワーク１に含まれる各エッジルーター１０のうち、ルートポートとなったエッジルーター１０は、それに接続されたゲートウェイ装置３０に対して情報を送信しないよう制御され、ルートネットワークのエッジルーター１０は、それに接続されたゲートウェイ装置３０に対して情報を送信可能であることとする。本実施の形態のゲートウェイ装置３０を含むシステムでは、このような作業により、ループのない転送ルート（スパニング・ツリー）を構築してもよい。
【００７６】
これら転送回数カウンタを用いる例等においても、情報を破棄することとする場合は、破棄の代わりに、スタブ論理網に属するルーターに対して対象となった情報を送出するようにしてもよい。
【図面の簡単な説明】
【００７７】
【図１】本発明の実施の形態に係るゲートウェイ装置を含むシステムの構成例を表すブロック図である。
【図２】本発明の実施の形態に係るゲートウェイ装置の構成例を表すブロック図である。
【図３】本発明の実施の形態に係るゲートウェイ装置の一例を表す機能ブロック図である。
【図４】本発明の実施の形態に係るゲートウェイ装置が保持する転送関係の設定の内容例を表す説明図である。
【図５】本発明の実施の形態に係るゲートウェイ装置の構成の一例に係る概要図である。
【図６】本発明の実施の形態に係るゲートウェイ装置の構成の別の例に係る概要図である。
【図７】本発明の実施の形態に係るゲートウェイ装置の動作の一例に係る流れ図である。
【図８】本発明の実施の形態に係るゲートウェイ装置の別の例に係る機能ブロック図である。
【図９】本発明の実施の形態に係るゲートウェイ装置の構成のさらに別の例に係る概要図である。
【図１０】本発明の実施の形態に係るゲートウェイ装置が用いる判断条件の例を表す説明図である。
【図１１】本発明の実施の形態に係るゲートウェイ装置の構成のさらに別の例に係る流れ図である。
【図１２】本発明の実施の形態に係るゲートウェイ装置を含むシステムの別の構成例を表す説明図である。
【図１３】オーバーレイネットワークの概要を表す構成図である。
【図１４】オーバーレイネットワークに含まれるエッジルーターの構成例を表すブロック図である。
【符号の説明】
【００７８】
１  オーバーレイネットワーク、２  通信網要素、１０  ルーター、１１  通信処理部、１２  記憶部、２０  ユーザ側端末、３０  ゲートウェイ装置、３１  制御部、３２  記憶部、３３  通信部、４１  受信部、４２  通信制御部、４３  送信部。
【図１】
2010157796.tif 000003
【図２】
2010157796.tif 000004
【図３】
2010157796.tif 000005
【図４】
2010157796.tif 000006
【図５】
2010157796.tif 000007
【図６】
2010157796.tif 000008
【図７】
2010157796.tif 000009
【図８】
2010157796.tif 000010
【図９】
2010157796.tif 000011
【図１０】
2010157796.tif 000012
【図１１】
2010157796.tif 000013
【図１２】
2010157796.tif 000014
【図１３】
2010157796.tif 000015
【図１４】
2010157796.tif 000016